(57)【要約】【課題】  移動局がハンドオーバする場合、移動局用のユーザデータをハンドオーバ先の基地局に欠落なしに効率よく転送可能なデータ転送方法及び基地局。【解決手段】  本発明に係るデータ転送方法は、移動局がハンドオーバする場合に、ハンドオーバ元の基地局が、ハンドオーバ先の基地局に対して、前記移動局用のバッファに蓄積されているユーザデータを転送するデータ転送方法であって、前記ハンドオーバ元の基地局が、前記ユーザデータの転送順序を決定する転送順序決定工程と、前記ハンドオーバ元の基地局が、前記転送順序に基づいて、前記ユーザデータを前記ハンドオーバ先の基地局に対して転送する転送工程とを有する。【選択図】    図１
2007129593.tif 000002
【特許請求の範囲】
【請求項１】
移動局がハンドオーバする場合に、ハンドオーバ元の基地局が、ハンドオーバ先の基地局に対して、前記ハンドオーバ元の基地局のバッファに蓄積されている前記移動局のユーザデータを転送するデータ転送方法であって、
前記ハンドオーバ元の基地局が、前記ユーザデータの転送順序を決定する転送順序決定工程と、
前記ハンドオーバ元の基地局が、前記転送順序に基づいて、前記ユーザデータを前記ハンドオーバ先の基地局に対して転送する転送工程とを有することを特徴とするデータ転送方法。
【請求項２】
前記転送順序決定工程において、前記転送順序は、前記ユーザデータの種類に応じて決定されることを特徴とする請求項１に記載のデータ転送方法。
【請求項３】
前記バッファは、前記移動局ごとのバッファであり、
前記転送順序決定工程において、前記転送順序は、前記移動局ごとのバッファにおけるユーザデータの蓄積状況に応じて決定されることを特徴とする請求項１又は請求項２に記載のデータ転送方法。
【請求項４】
前記転送順序決定工程において、前記転送順序は、前記移動局の移動速度に応じて決定されることを特徴とする請求項１乃至３のいずれか１項に記載のデータ転送方法。
【請求項５】
移動局のハンドオーバ先の基地局に対して、前記移動局のユーザデータを転送する基地局であって、
前記ユーザデータの転送順序を決定する転送順序決定部と、
前記転送順序に基づいて、前記ユーザデータを前記ハンドオーバ先の基地局に対して転送する転送部とを具備することを特徴とする基地局。
【請求項６】
前記転送順序決定部は、前記ユーザデータの種類に応じて、前記転送順序を決定することを特徴とする請求項５に記載の基地局。
【請求項７】
前記バッファは、前記移動局ごとのバッファであり、
前記転送順序決定部は、前記移動局ごとのバッファにおけるユーザデータの蓄積状況に応じて、前記転送順序を決定することを特徴とする請求項５又は請求項６に記載の基地局。
【請求項８】
前記転送順序決定部は、前記移動局の移動速度に応じて、前記転送順序を決定することを特徴とする請求項５乃至７のいずれか１項に記載の基地局。
【発明の詳細な説明】
【技術分野】
【０００１】
本発明は基地局間におけるデータ転送技術に関し、特に移動局がハードハンドオーバする場合に基地局間でデータ転送を行うデータ転送方法及び基地局に関する。
【背景技術】
【０００２】
第3世代標準化機構(3rd Generation Partnership Project：３ＧＰＰ)で議論が開始された次世代の無線アクセス・ネットワークのＥ−ＵＴＲＡＮシステム（Evolved Universal Terrestrial Radio Access Network）においては、基地局間のハンドオーバとして、ハードハンドオーバが用いることが想定される。
【０００３】
ハードハンドオーバでは、移動局は、ハードハンドオーバ元の基地局から、ハードハンドオーバ先の基地局へ無線リンクを切り替える。
【０００４】
かかるハードハンドオーバは、システムの複雑性を排除することができるため、ＩＰベースのコアネットワークを介して基地局間のハンドオーバを行うＥ−ＵＴＲＡＮシステムにおいては特に有効である。
【０００５】
しかしながら、かかるハードハンドオーバでは、移動局は、ハードハンドオーバ元の基地局において、当該移動局用のバッファに蓄積されているユーザデータ（例えば、移動局に対して未送信の下りユーザデータ、再送中の下りユーザデータ等）を、ハードハンドオーバ先の基地局からは受信することができない。
【０００６】
したがって、かかるハードハンドオーバにおいては、ハードハンドオーバ元の基地局が、ハードハンドオーバ先の基地局に対して、当該移動局用のバッファに蓄積されているユーザデータを転送することが必要となる。
【０００７】
例えば、かかるハードハンドオーバにおけるユーザデータの転送方法として、「Ｆａｓｔ  Ｈａｎｄｏｖｅｒ  ｆｏｒ  ＭＩＰｖ６（ＦＭＩＰ）」がＩＥＴＦのＲＦＣ４０６８に規定されている（例えば、非特許文献１参照。）。
【非特許文献１】ＩＥＴＦ  ＲＦＣ４０６８
【発明の開示】
【発明が解決しようとする課題】
【０００８】
しかしながら、複数の移動局がハードハンドオーバ処理を行う場合、基地局と移動局との間のユーザデータに加えて、ハードハンドオーバ元の基地局からハードハンドオーバ先の基地局に対して転送されたユーザデータが、伝送路上で大量に通信されるため、伝送路の輻輳が発生する場合がある。
【０００９】
かかる場合、伝送路の輻輳によって、ハードハンドオーバ元の基地局からハードハンドオーバ先の基地局に対して転送されたユーザデータが欠落する恐れがある。
【００１０】
当該欠落したユーザデータは、当該基地局間の再送制御によって再送されるが、上位レイヤにおいて再送制御されるため、再送に要する時間が長くなってしまう。
【００１１】
その結果、ハードハンドオーバ元の基地局が、ハードハンドオーバ先の基地局に対してユーザデータを転送する時間が長くなり、ユーザスループットが大幅に低下する問題が起きる恐れがある。
【００１２】
そこで、本発明は、以上の点に鑑みてなされたものであり、移動局がハードハンドオーバする場合、移動局用のユーザデータをハードハンドオーバ先の基地局に欠落なしに効率よく転送可能なデータ転送方法及び基地局を提供することを目的とする。
【課題を解決するための手段】
【００１３】
本発明の第１の特徴は、移動局がハンドオーバする場合に、ハンドオーバ元の基地局が、ハンドオーバ先の基地局に対して、前記ハンドオーバ元の基地局のバッファに蓄積されている前記移動局のユーザデータを転送するデータ転送方法であって、前記ハンドオーバ元の基地局が、前記ユーザデータの転送順序を決定する転送順序決定工程と、前記ハンドオーバ元の基地局が、前記転送順序に基づいて、前記ユーザデータを前記ハンドオーバ先の基地局に対して転送する転送工程とを有することを要旨とする。
【００１４】
本発明の第１の特徴において、前記転送順序決定工程において、前記転送順序は、前記ユーザデータの種類に応じて決定されてもよい。
【００１５】
本発明の第１の特徴において、前記バッファは、前記移動局ごとのバッファであり、前記転送順序決定工程において、前記転送順序は、前記移動局ごとのバッファにおけるユーザデータの蓄積状況に応じて決定されてもよい。
【００１６】
本発明の第１の特徴において、前記転送順序決定工程において、前記転送順序は、前記移動局の移動速度に応じて決定されてもよい。
【００１７】
本発明の第２の特徴は、移動局のハンドオーバ先の基地局に対して、前記移動局のユーザデータを転送する基地局であって、前記ユーザデータの転送順序を決定する転送順序決定部と、前記転送順序に基づいて、前記ユーザデータを前記ハンドオーバ先の基地局に対して転送する転送部とを具備することを要旨とする。
【００１８】
本発明の第２の特徴において、前記転送順序決定部は、前記ユーザデータの種類に応じて、前記転送順序を決定してもよい。
【００１９】
本発明の第２の特徴において、前記バッファは、前記移動局ごとのバッファであり、前記転送順序決定部は、前記移動局ごとのバッファにおけるユーザデータの蓄積状況に応じて、前記転送順序を決定してもよい。
【００２０】
本発明の第２の特徴において、前記転送順序決定部は、前記移動局の移動速度に応じて、前記転送順序を決定してもよい。
【発明の効果】
【００２１】
本発明によれば、移動局がハンドオーバする場合、移動局用のユーザデータをハンドオーバ先の基地局に欠落なしに効率よく転送可能なデータ転送方法及び基地局を提供することができる。
【発明を実施するための最良の形態】
【００２２】
（本発明の第１の実施形態に係る移動通信システム）
図１乃至図４を参照して、本発明の第１の実施形態に係る移動通信システムの構成について説明する。また、本実施形態に係る移動通信システムは、高速パケット通信システムである「ＨＳＤＰＡ（High Speed Downlink Packet Access）」にも適応可能である。
【００２３】
図１に示すように、本実施形態に係る移動通信システムは、１つ以上の移動局１（１ａ、１ｂ・・・）と、複数の基地局２〜３と、アクセスゲートウェイ（ＡＧ）４とを具備する。基地局２〜３は、セルＣ１〜Ｃ２をそれぞれ構成している。なお、各基地局が指向性を有する複数のアンテナを有し、各セル内で複数のセクタが構成されていても良い。
【００２４】
以下の実施形態の説明においては、移動局１が、基地局２のセルＣ１側から基地局３のセルＣ２側に移動し、基地局２がハンドオーバ元、且つ基地局３がハンドオーバ先となる一例を説明する。
【００２５】
本明細書において、「ハンドオーバ」とは、「ハードハンドオーバ」を意味し、かかるハードハンドオーバにおいては、移動局１がセルＣ１からセルＣ２に移動する際に、移動局１がハンドオーバ元の基地局３からハンドオーバ先の基地局２へ無線リンクを切り替える。かかるハードハンドオーバでは、移動局１は、常に１つの基地局のみとユーザデータの送受信を行う。
【００２６】
ハンドオーバ元の基地局２とハンドオーバ先の基地局３との間では、ユーザデータを転送することが可能な伝送路が設定される。かかる伝送路は、有線でもあっても、無線であってもよい。また、アクセスゲートウェイ４や、ルータ、スイッチ等がかかる伝送路に接続するように構成されていてもよい。
【００２７】
図２は、本実施形態に係る移動通信システムにおいて、ユーザデータを送受信するためのプロトコル（ユーザー・プレーン：Ｕプレーン）構成を示す図である。
【００２８】
図２に示すように、基地局２〜３及び移動局１は、レイヤ２のサブレイヤとしてＯｕｔｅｒ  ＡＲＱ機能、Ｌｏｓｓｌｅｓｓ  Ｒｅｌｏｃａｔｉｏｎ機能を具備するように構成されていてもよい。
【００２９】
Ｏｕｔｅｒ  ＡＲＱ機能とは、レイヤ２のサブレイヤのＨＡＲＱ（Ｈｙｂｒｉｄ  Ａｕｔｏｍａｔｉｃ  Ｒｅｐｅａｔ  ｒｅＱｕｅｓｔ）再送制御によって、補償することができなかったユーザデータの欠落を補償するための再送制御機能である。なお、後述するハンドオーバ元の基地局２のユーザデータ蓄積部２２に具備されているバッファは、Ｏｕｔｅｒ  ＡＲＱ機能におけるＳＤＵ（Ｓｅｒｖｉｃｅ  Ｄａｔａ  Ｕｎｉｔ）バッファであってもよい。ここで、ＳＤＵとは、Ｏｕｔｅｒ  ＡＲＱ機能におけるユーザデータの単位である。さらに、移動局１がハンドオーバする場合、ハンドオーバ元の基地局２のＬｏｓｓｌｅｓｓ  Ｒｅｌｏｃａｔｉｏｎ機能によって、ＳＤＵバッファに蓄積されたＳＤＵをハンドオーバ先の基地局３に転送するように構成されていてもよい。
【００３０】
図３は、本実施形態に係る移動通信システムにおいて、ハンドオーバ元の基地局２の構成を示す図である。
【００３１】
なお、かかる構成はハンドオーバ元の基地局全てに適用可能であり、基地局３がハンドオーバ元である場合、同様の構成を有してもよい。
【００３２】
ハンドオーバ元の基地局２は、有線伝送部２１と、ユーザデータ蓄積部２２と、無線伝送部２３と、ユーザデータ種類解析部２４と、ユーザデータ蓄積状況解析部２５と、移動速度解析部２６と、転送順序決定部２７と、制御部２８とを具備している。
【００３３】
なお、かかる基地局２の構成は、ユーザデータ種類解析部２４と、ユーザデータ蓄積状況解析部２５と、移動速度解析部２６とすべてを具備する構成として説明するが、かかる構成を１つでも具備すればよい。
【００３４】
有線伝送部２１は、ネットワークを介してアクセスゲートウェイ４又はハンドオーバ先の基地局３とユーザデータの送受信を行うように構成されている。
【００３５】
具体的には、有線伝送部２１は、アクセスゲートウェイ４を介して、下りのユーザデータを受信し、ユーザデータ蓄積部２２に蓄積するように構成されている。
【００３６】
また、有線伝送部２１は、移動局１がハンドオーバする場合、後述するユーザデータ蓄積部２２のバッファに蓄積されている移動局１のユーザデータを転送順序決定部２７で決定された転送順序に基づいてハンドオーバ先の基地局３に対して転送するように構成されている。
【００３７】
また、有線伝送部２１は、移動局１の移動速度を計測するための情報を受信するように構成されていてもよい。
【００３８】
ユーザデータ蓄積部２２は、移動局１のユーザデータを蓄積するバッファを具備するように構成されている。
【００３９】
具体的には、ユーザデータ蓄積部２２は、かかるバッファに、移動局１からの送達確認が取れていないユーザデータや、送達確認中のユーザデータや、アクセスゲートウェイ４から受信し、未だ移動局１に対して送信していないユーザデータ等を蓄積するように構成されている。
【００４０】
また、ユーザデータ蓄積部２２は、各移動局１ごとのバッファを具備し、当該移動局１ごとのバッファに移動局１用のユーザデータを蓄積するように構成されていてもよい。
【００４１】
また、ユーザデータ蓄積部２２は、ユーザデータの内容ごとに各移動局１ごとのバッファを具備するように構成されていてもよい。例えば、ユーザデータ蓄積部２２は、移動局１ａ用の会話データ、移動局１ａ用のストリーミングデータ、・・・、移動局１ｂ用の会話データのようにバッファを具備し、それぞれユーザデータを蓄積するように構成されていてもよい。
【００４２】
また、ユーザデータ蓄積部２２は、移動局１との間の再送制御によって送達確認のとれたユーザデータを当該バッファから削除するように構成されてもよい。
【００４３】
無線伝送部２３は、無線ネットワークを介して移動局１とユーザデータの送受信を行うように構成されている。
【００４４】
具体的には、無線伝送部２３は、ユーザデータ蓄積部２２に蓄積された下りのユーザデータを移動局１に送信するように構成されている。
【００４５】
また、無線伝送部２３は、移動局１の移動速度を計測するための情報を受信するように構成されていてもよい。
【００４６】
ユーザデータ種類解析部２４は、ユーザデータ蓄積部２２に蓄積されたユーザデータの種類に応じてユーザデータの優先順位を解析するように構成されている。
【００４７】
ここで、ユーザデータの種類とは、例えば、ユーザデータの内容によるもの（会話データ、ストリーミングデータ、対話型データ、バックグラウンドデータ等）や、ＤｉｆｆＳｅｒｖ等のユーザデータに付与されたプライオリティ識別子によるものや、ユーザデータの方向によるもの（上り、下り）や、ユーザによるもの（例えば、移動局１ａのユーザ、移動局１ｂのユーザ、・・・）等である。
【００４８】
また、ユーザデータ種類解析部２４は、ユーザデータの種類に応じて解析したユーザデータの優先順位を転送順序決定部２７に通知するように構成されている。
【００４９】
例えば、ユーザデータ種類解析部２４がユーザデータの内容に応じてユーザデータの優先順位を解析する場合、会話データ＞ストリーミングデータ＞対話型データ＞バックグラウンドデータという優先順位を転送順序決定部２７に通知してもよい。
【００５０】
また、ユーザデータ種類解析部２４がＤｉｆｆＳｅｒｖ等のユーザデータに付与されたプライオリティ識別子に応じてユーザデータの優先順位を解析する場合、プライオリティ識別子を解析し、ユーザデータの優先順位を転送順序決定部２７に通知してもよい。
【００５１】
ユーザデータ蓄積状況解析部２５は、ユーザデータ蓄積部２２の各移動局１ごとのバッファに蓄積されているユーザデータの蓄積状況を解析するように構成されている。
【００５２】
また、ユーザデータ蓄積状況解析部２５は、解析した各移動局１のユーザデータの蓄積状況を転送順序決定部２７に通知するように構成されている。
【００５３】
移動速度解析部２６は、各移動局１の移動速度を解析するように構成されている。
【００５４】
具体的には、移動速度解析部２６は、有線伝送部２１及び無線伝送部２３より通知された移動速度を計測するための情報に基づいて、各移動局１の移動速度を解析する。
【００５５】
ここで、移動速度を計測するための情報とは、例えば、各移動局１の単位時間あたりのハンドオーバ回数、各移動局１が記憶する各移動局１のハンドオーバ履歴（時刻等）、他の基地局からネットワークを介して通知される各移動局１のハンドオーバ履歴（時刻等）、各移動局１からの無線信号等である。
【００５６】
また、移動速度解析部２６は、解析した各移動局１の移動速度を転送順序決定部２７に通知するように構成されている。
【００５７】
転送順序決定部２７は、ユーザデータの転送順序を決定するように構成されている。
【００５８】
具体的には、転送順序決定部２７は、ユーザデータ種類解析部２４から通知されたユーザデータの優先順位、又はユーザデータ蓄積状況解析部２５から通知された各移動局１のユーザデータ蓄積状況、又は移動速度解析部２６から通知された各移動局１の移動速度に基づいて、ユーザデータの転送順序を決定するように構成されている。
【００５９】
例えば、図４に、移動局１ａ〜１ｅがハンドオーバする場合のユーザデータの優先順位、移動局１ａ〜１ｅのユーザデータの蓄積状況、移動局１ａ〜１ｅの移動速度を例示する。
【００６０】
図４において、転送順序決定部２７は、ユーザデータの優先順位（例えば、会話データ（Ｃ）＞ストリーミングデータ（Ｓ）＞対話型データ（Ｉ）＞バックグラウンド（Ｂ））に基づいてユーザデータの転送順序を決定する場合、優先順位の高い移動局１ａ、移動局１ｂ、移動局１ｃの会話データ（Ｃ）が優先的に転送されるように転送順序を決定する。
【００６１】
図４において、転送順序決定部２７は、移動局１ａ〜１ｅのユーザデータの蓄積状況に基づいてユーザデータの転送順序を決定する場合、ユーザデータの蓄積量が多い移動局１ａのユーザデータが優先的に転送されるように転送順序を決定する。
【００６２】
図４において、転送順序決定部２７は、移動局１ａ〜１ｅの移動速度に基づいてユーザデータの転送順序を決定する場合、移動速度の速い（図４において矢印の太い）移動局１ａ、移動局１ｅのユーザデータが優先的に転送されるように転送順序を決定する。
【００６３】
なお、転送順序決定部２７は、ユーザデータ種類解析部２４から通知されたユーザデータの優先順位と、ユーザデータ蓄積状況解析部２５から通知された各移動局１のユーザデータ蓄積状況と、移動速度解析部２６から通知された各移動局１の移動速度とに基づいて、ユーザデータの転送順序を決定するように構成されていてもよい。
【００６４】
また、転送順序決定部２７は、ユーザデータ種類解析部２４から通知されたユーザデータの優先順位と、ユーザデータ蓄積状況解析部２５から通知された各移動局１のユーザデータ蓄積状況と、移動速度解析部２６から通知された各移動局１の移動速度とに基づいて、転送順序係数を算出し、当該転送順序係数に基づいて、ユーザデータの転送順序を決定するように構成されていてもよい。
【００６５】
なお、転送順序決定部２７は、上述以外の指標に基づいて、転送順序を決定するように構成されていてもよい。例えば、各移動局１の通信継続時間や、ハンドオーバ先の基地局３への物理的な距離等を指標とすることができる。
【００６６】
また、複数の移動局１のユーザデータ蓄積状況が同一の場合や、複数の移動局１の移動速度が同一の場合等、複数の移動局１の優先順位が同一となる場合、転送順序決定部２７は、ラウンドロビンや「ＨＯ  ｉｎｉｔｉａｔｉｏｎ（ハンドオーバ先の基地局からのリソース割り当て順）」等の公知の手法によって、転送順序を決定してもよい。
【００６７】
制御部２８は、後述するように、各移動局１からのメジャメント報告に基づいて、各移動局１のハンドオーバに係る制御を行うように構成されている。
【００６８】
（本発明の第１の実施形態に係る移動通信システムの動作）
以下、図５乃至図７を参照して、本実施形態に係る移動通信システムの動作について説明する。
【００６９】
第１に、図５を参照し、移動局１がハンドオーバする場合のハンドオーバ処理のシーケンスについて説明する。
【００７０】
図５に示すように、ステップＳ１０１において、移動局１は、ハンドオーバ元の基地局２が適切なハンドオーバ先の基地局（セル）を選択できるように、ハンドオーバ元の基地局２に対して、ハンドオーバ候補の基地局（セル）の情報をメジャメント報告として送信する。
【００７１】
ステップＳ１０２において、ハンドオーバ元の基地局２は、移動局１からのメジャメント報告に基づいて、移動局１がハンドオーバする必要があるか否かを判定する。移動局１がハンドオーバする必要がある場合、ハンドオーバ元の基地局２は、ステップＳ１０１におけるメジャメント報告に基づいて、リソース割り当て要求を送信するのに適切なハンドオーバ候補の基地局３を選択する。
【００７２】
ステップＳ１０３において、ハンドオーバ元の基地局２は、ステップＳ１０２において選択されたハンドオーバ候補の基地局３に対して、リソース割り当て要求を送信する。
【００７３】
かかるリソース割り当て要求には、移動局１に関するＱｏS情報が含まれてもよい。なお、かかるリソース割り当て要求は、制御・プレーン（Ｃプレーン）の「ＵＥ  ｃｏｎｔｅｘｔ」等であってもよい。
【００７４】
ステップＳ１０４において、ハンドオーバ候補の基地局３は、移動局１に関するＱｏS情報に基づいて、移動局１に対するリソースの割り当て及びリソースの予約を行う。
【００７５】
ステップＳ１０５において、ハンドオーバ候補の基地局３は、ハンドオーバ元の基地局２に対して、リソース割り当て応答を送信する。
【００７６】
具体的には、ハンドオーバ候補の基地局３は、移動局１に対するリソースの予約に成功した場合、かかるリソース割り当て応答によって、移動局１のハンドオーバのための準備が完了したことを通知する。かかる場合、ハンドオーバ元の基地局２は、ハンドオーバ候補の基地局３をハンドオーバ先に決定する。
【００７７】
一方、ハンドオーバ候補の基地局３が、移動局１に対するリソースの確保に失敗した場合、かかる旨をリソース割り当て応答によってハンドオーバ元の基地局２に対して通知する。かかる場合、本動作はステップＳ１０２に戻り、ハンドオーバ元の基地局２は、メジャメント報告に基づいて、他のハンドオーバ候補の基地局を選択し、上述の処理を行う。
【００７８】
ステップＳ１０６において、ハンドオーバ元の基地局２は、後述するユーザデータ転送順序決定処理によって、ハンドオーバ元の基地局２のバッファに蓄積されている移動局１のユーザデータの転送順序を決定する。
【００７９】
ステップＳ１０７において、ハンドオーバ元の基地局２は、ステップＳ１０６において決定された転送順序に基づいて、ハンドオーバ元の基地局２のバッファに蓄積されている移動局１のユーザデータをハンドオーバ先の基地局３に対して送信する。
【００８０】
ステップＳ１０８において、ハンドオーバ元の基地局２は、移動局１に対して、無線リンクの再設定要求を送信する。
【００８１】
かかる無線リンクの再設定要求には、ハンドオーバ先の基地局３との無線リンクを確立するために必要な情報（例えば、拡散符号等）が含まれる。
【００８２】
ステップＳ１０９において、移動局１は、無線リンクの再設定によってハンドオーバする。
【００８３】
具体的には、移動局１は、ハンドオーバ先の基地局３からハンドオーバ元の基地局２へ無線リンクを切り替える。
【００８４】
ステップＳ１１０において、移動局１は、無線リンクを確立したハンドオーバ先の基地局３に対して、無線リンク再設定完了報告を送信する。
【００８５】
ステップＳ１１１において、ハンドオーバ先の基地局３は、アクセスゲートウェイ４に対して、パス更新要求を送信する。アクセスゲートウェイ４は、デスティネーションのアドレスをハンドオーバ元の基地局２からハンドオーバ先の基地局３へパス更新を実行する。
【００８６】
ステップＳ１１２で、アクセスゲートウェイ４は、ハンドオーバ元の基地局２とのシグナリングをリリースする。
【００８７】
第２に、図６を参照し、上述のハンドオーバ処理におけるハンドオーバ元の基地局２のフローついて説明する。図６は、図５に示すシーケンスに対応するために簡単に説明する。
【００８８】
図６に示すように、ハンドオーバ元の基地局２は、移動局１からメジャメント報告を受信すると（ステップＳ２０１、ステップＳ１０１）、ハンドオーバ候補の基地局３を選択し、リソース割り当て要求を行う（ステップＳ２０２、ステップＳ１０２〜Ｓ１０３）。ハンドオーバ候補の基地局３からのリソース割り当て許可応答があった場合（ステップＳ２０３、ステップＳ１０５）、ハンドオーバ元の基地局２は、ユーザデータの転送順序を決定する（ステップＳ２０４、ステップＳ１０６）。ハンドオーバ元の基地局２は、決定されたユーザデータの転送順序に基づいてユーザデータを転送する（ステップＳ２０５、ステップＳ１０７）。そして、移動局１に対して無線リンクの再設定要求を行う（ステップＳ２０６、ステップＳ１０８）。
【００８９】
第３に、図７を参照し、上述のハンドオーバ処理において、ハンドオーバ元の基地局２が、ユーザデータの転送順序を決定するフローについて説明する。図７は、図５におけるステップＳ１０６、図７におけるステップＳ２０４に対応する。
【００９０】
図７に示すように、ステップＳ３０１において、ハンドオーバ元の基地局２は、ユーザデータ又は移動局１の解析を行う。具体的には、図３に示すユーザデータ種類解析部２４及び／又はユーザデータ蓄積状況解析部２５及び／又は移動速度解析部２６が上述の処理を行う。
【００９１】
ステップＳ３０２において、ハンドオーバ元の基地局２は、ハンドオーバ元の基地局２は、ユーザデータの転送順序を決定する。具体的には、図３に示す転送順序決定部２７が上述の処理を行う。
【００９２】
ステップＳ３０３において、ハンドオーバ元の基地局２は、ステップＳ３０２において決定された転送順序に基づいて、ユーザデータを転送する。具体的には、図３に示す有線伝送部２１が上述の処理を行う。
【００９３】
（本発明の第１の実施形態に係る移動通信システムの作用・効果）
本実施形態に係る移動通信システムによれば、移動局がハンドオーバする場合、ユーザデータの転送順序を決定することができるため、ハンドオーバ先の基地局に対して、移動局用のユーザデータを欠落なしに効率よく転送することができる。
【００９４】
また、本実施形態に係る移動通信システムによれば、移動局がハンドオーバする場合、優先順位の高いユーザデータをユーザデータが優先的に転送されるように転送順序を決定することができるため、ハンドオーバ先の基地局における無線リソースを無駄なく使用することができる。
【００９５】
（その他の実施形態）
上記のように、本発明は第１実施形態によって記載したが、この開示の一部をなす論述及び図面はこの発明を限定するものであると理解すべきではない。この開示から当業者には様々な代替実施形態、実施例及び運用技術が明らかとなろう。
【００９６】
このように本発明は、ここでは記載していない様々な実施形態等を包含するということを理解すべきである。したがって、本発明はこの開示から妥当な特許請求の範囲の発明特定事項によってのみ限定されるものである。
【図面の簡単な説明】
【００９７】
【図１】本発明の第１実施形態に係る移動通信システムの構成例を示す図である。
【図２】本発明の第１実施形態に係る移動通信システムのプロトコル構成例を示す図である。
【図３】本発明の第１実施形態に係る基地局の構成例を示す図である。
【図４】本発明の第１実施形態に係る基地局による転送順序の決定を説明するための図である。
【図５】本発明の第１実施形態に係る移動通信システムのハンドオーバ処理の動作例を示すシーケンス図である。
【図６】本発明の第１実施形態に係るハンドオーバ処理における基地局の動作例を示すフローチャートである。
【図７】本発明の第１実施形態に係る基地局が転送順序を決定する動作例を示すフローチャートである。
【符号の説明】
【００９８】
１…移動局
２、３…基地局
４…アクセスゲートウェイ
２１…有線伝送部
２２…ユーザデータ蓄積部
２３…無線伝送部
２４…ユーザデータ種類解析部
２５…ユーザデータ蓄積状況解析部
２６…移動速度解析部
２７…転送順序決定部
２８…制御部
【図１】
2007129593.tif 000003
【図２】
2007129593.tif 000004
【図３】
2007129593.tif 000005
【図４】
2007129593.tif 000006
【図５】
2007129593.tif 000007
【図６】
2007129593.tif 000008
【図７】
2007129593.tif 000009